(57)【要約】【課題】読取画像にズレが無く読取品質のよい原稿被搬送型の画像読取装置を提供する。【解決手段】分割して設けられた複数の読取手段７，７′と、搬送方向上流側に設けられた第１搬送ローラ１と、搬送方向下流側に設けられた第２搬送ローラ２と、読取手段７，７′近傍の対向領域に該読取手段に略対向して配設され、搬送方向回転に駆動される押圧ローラ１２（１２′）を少なくとも１つ備える。押圧ローラ１２（１２′）を、第１搬送ローラ及び第２搬送ローラの周速より速い周速で原稿搬送方向に駆動する。【選択図】図１
2006081096.tif 000002
【特許請求の範囲】
【請求項１】
原稿の搬送方向に分割して設けられた複数の読取手段と、
前記複数の読取手段の搬送方向上流側に設けられ原稿を前記読取手段へ搬送する第１搬送ローラと、
前記複数の読取手段の搬送方向下流側に設けられ原稿を搬送する第２搬送ローラと、
前記複数の読取手段近傍に略対向して配設され、搬送方向回転に駆動される押圧ローラを少なくとも１つ備えたことを特徴とする画像読取装置。
【請求項２】
前記押圧ローラが、前記第１搬送ローラ及び第２搬送ローラの周速より速い周速で原稿搬送方向に駆動されることを特徴とする請求項１に記載の画像読取装置。
【請求項３】
前記押圧ローラは、原稿先端が前記第２搬送ローラにくわえられた直後に駆動が停止されることを特徴とする請求項１に記載の画像読取装置。
【請求項４】
前記押圧ローラがクラッチ機構を介して駆動され、原稿先端が前記第２搬送ローラにくわえられた直後にクラッチ機構が解除され前記押圧ローラの駆動が停止されることを特徴とする請求項１に記載の画像読取装置。
【請求項５】
前記押圧ローラは、少なくとも外周面が実質的に白色を呈することを特徴とする請求項１〜４のいずれか１項に記載の画像読取装置。
【請求項６】
前記複数の読取手段に対向して配設したガイド板を備えることを特徴とする請求項１〜５のいずれか１項に記載の画像読取装置。
【請求項７】
請求項１〜６のいずれか１項に記載の画像読取装置を備えることを特徴とする画像形成装置。
【発明の詳細な説明】
【技術分野】
【０００１】
本発明は、搬送方向に分割して配置されて原稿を読み取る複数の読取手段と、上流側の第１搬送ローラと下流側の第２搬送ローラとを備え、原稿を第１搬送ローラにて読取手段に送り込んで読み取った後、第２搬送ローラにて送り出すスキャナなどの画像読取装置、およびその画像読取装置を備える複写機、ファクシミリ、プリンタまたはそれらの複合機としての画像形成装置に関する。
【背景技術】
【０００２】
従来の画像読取装置には、原稿テーブルを備え、その原稿テーブル上にコンタクトガラス部を設け、コンタクトガラス部の下方に読取手段を配設し、原稿を読取手段に送り込む一対の第１搬送ローラと、原稿を読取手段から送り出す一対の第２搬送ローラ備えたものがある（例えば、特許文献１参照）。
【０００３】
図９（ａ）にこの種の画像読取装置である原稿搬送型スキャナの構成例を概略断面図で示す。図において、符号２０１は基台、２０２、２０２′は光電変換素子によりなる読取画素が直線状に複数個配列された密着型イメージセンサ（読取手段）、２０３はコンタクトガラス部、２０４はガイド部、２０５，２０５′は搬送ローラ（原稿搬送部）、２０６は原稿押圧部、２０７は原稿である。
【０００４】
原稿２０７を第１搬送ローラ２０５にてコンタクトガラス部２０３上に送り込み、読取センサを構成するレンズアレイ２２２を介して受光素子（ラインセンサ）２２３で原稿２０７の画像情報が読み取られた後、第２搬送ローラ２０５′にて読取手段２０２、２０２′から送り出される。一方、受光素子２２３で読み取った画像情報は、Ａ／Ｄ変換されて、メモリーに一旦、蓄積される。
【０００５】
基台２０１は、主操作方向に延設される断面視コ字状の形状を有して形成されている。この基台２０１には図９（ｂ）に示すように、原稿２１１を搬送方向と直交方向に分割して読み取るために幅方向に複数に分割（図では３分割）した副操作方向に位置をずらして配置された密着型イメージセンサ（読取センサ）２０２、２０２′が主走査方向に複数個千鳥状に２列に配設されている。また、基台２０１上部には、透明なガラス部材よりなるコンタクトガラス部２０３が設けられている。これら基台２０１、密着型センサ２０２、コンタクトガラス部３２０とで画像読取部が構成されている。
【０００６】
この画像読取部の副走査方向の前後部分には、図示しない回転駆動機構により回転駆動力が伝達される駆動ローラ２５１と、この駆動ローラ２５１に圧接して原稿２０７を挟持する従動ローラであるピンチローラ２５２により構成される原稿搬送部２０５，２０５′が設けられている。
【０００７】
この画像読取装置による原稿画像の画像読取を具体的に説明する。図１０（ａ）は画像読取処理のための回路の要部構成を示すブロック図である。先ず原稿２０７を副走査方向上流側に設けられた従動ローラ２５１とピンチローラ２５２の間に挿入してこれを挟持させ、駆動ローラ２５１を図の矢印方向に回転駆動させて原稿２０７を副走査方向Ｆに搬送する。この原稿２０７の搬送と同期して、図１０（ｂ）に示すように、原稿搬送方向の上流側に備える読取センサ２０２，２０２で、幅方向の原稿１１の一部分Ａ，Ａを読み取り、続いて、その下流側に所定距離だけ離れて配置された読取センサ２０２′で、未読部分Ｂを順次読み取る。
【０００８】
この時、上流側の読取センサ２０２，２０２で読み取った画像データＡはＡ／Ｄ変換された後、遅延回路としての所定のメモリに一時格納され、下流側の読取センサ２０２′にて所定距離分だけ遅れたタイミングで読み取った画像データＢをＡ／Ｄ変換するのに合わせて画像データＡと画像データＢとを画像合成部にて合成し、これを主走査方向１ライン毎のデータとして図示しない制御部の画像処理回路に送信するよう構成されている。
【０００９】
画像読取部の形態にはいくつかの種類があるが、このように画像読取部２０２，２０２，２０２′を搬送方向に分割して配置し、それぞれの読取センサが読み取った画像を制御部にて合成する技術は例えば特許文献２にも開示されている。読取センサの部品コストは幅方向の長さに比例するので、このように幅の短い複数の読取センサ２０２，２０２，２０２′を配置することで、部品コストを低く抑えることができる。
【００１０】
この画像読取装置に用いられる密着型イメージセンサ２０２，２０２′においては、光源２２１から照射された光線がコンタクトガラス部２０３より反射してレンズアレイ２２２に入射し、ラインセンサ２２３上で結像するよう設けられているので、良好な画像読取を行うためには、原稿２０７がコンタクトガラス部２０３に密着して搬送されることが必要不可欠となる。そこで、この種の原稿搬送型の画像読取装置においては、画像読取部上を搬送される原稿２０７をコンタクトガラス部２０３に押圧する原稿押圧部２０６を設け、これにより原稿２０７をコンタクトガラス部２０３の方向に付勢して密着させるよう構成されている。
【００１１】
例えば図９（ａ）では、特許文献１に開示の画像読取装置と同様に、読取中の原稿に作用しこれをイメージセンサの方向に押圧する原稿押圧部材と、原稿押圧部材を原稿の搬送方向を含む平面方向について位置決めするとともにイメージセンサ２０２，２０２′に対向する方向について摺動可能に支持する画像読取装置本体に固定されたベース部材と、このベース部材に載置され、原稿押圧部材に選択的に係合ならびに解除する押圧ブロックとからなる原稿押圧部２０６を設けている。
【特許文献１】特開２００３−１２５１５９号公報
【特許文献２】特開昭５９−１０５７６２号公報
【発明の開示】
【発明が解決しようとする課題】
【００１２】
上記〔特許文献１〕のように、従来の画像読取装置の原稿押圧機構６においては、原稿をコンタクトガラスに押圧するその付勢力については一定であり、このため厚み等の異なる種々の原稿の画像読み取りを行うような場合においては以下のような不具合が生じていた。即ち、大判の自動製図機により出力された図面を読み取るといった場合、その媒体としては温度変化による伸縮性のないポリエステルフィルムやインク等の定着性の良いトレーシングペーパー等が用いられるが、これらの媒体を原稿搬送型の画像読取装置により読み取る際には、原稿の媒体が薄いので原稿押圧機構による付勢力が大きいとこれが過大な負荷となり、ジャム現象が生じるなどの不具合が発生し易い。
【００１３】
従って、このような原稿の読み取りを行う画像読取装置においては、原稿押圧機構における押圧部材の自重を押圧力とするように構成しているが、それでも、このような構成の画像読取装置を用いて、例えば折り目の付いた大判の地図等上質紙よりなる印刷物、或いはロール状に巻回して保管することにより巻き癖がついてしまった印刷物等よりなる原稿を読み取るといった場合には、押圧部材の自重のみでは原稿の折り目部分或いは巻き癖のついた部分をコンタクトガラスに密着させることができずに浮いてしまい、この部分においては画像読取が良好に行えないと言った不具合が生じていた。
【００１４】
また、この不具合を解決するためには、原稿押圧機構においてその押圧力を原稿の種類に応じて多段階に切り換える方法が考えられるが、この場合、オペレータは原稿の種類、折り目があるか等原稿の状態で押圧力を切り換えなければならず、オペレータの操作が煩雑になり使いづらい読取装置となってしまう。
【００１５】
また、原稿をコンタクトガラスに押圧された状態では、原稿先端が読み取り終了した原稿を挿入口とは反対の方向に導き搬送する第２の搬送ローラにくわえ込むまでの間は押圧部材との摩擦抵抗で原稿の搬送速度が一定にならず搬送ムラが起きてしまい、第１の読取手段と第２の読取手段で読み取ったデータを合成する際にズレが生じて合わなくなってしまう。
【００１６】
本発明は上記したような画像読取装置における不具合を解決するためになされたもので、原稿紙種に依って押圧力を切り換えることなしに各種原稿を良好に読み取ることができる、読取画像品質のよい画像読取装置、またこのような画像読取装置を備えることで読取画像品質のよい画像形成装置を提供することを目的とする。
【課題を解決するための手段】
【００１７】
上記目的を達成するため本発明では、画像読取装置を、原稿の搬送方向に分割して設けられた複数の読取手段と、前記複数の読取手段の搬送方向上流側に設けられ原稿を前記読取手段へ搬送する第１搬送ローラと、前記複数の読取手段の搬送方向下流側に設けられ原稿を搬送する第２搬送ローラと、前記複数の読取手段近傍に略対向して配設され、搬送方向回転に駆動される押圧ローラを少なくとも１つ備えた構成とする。
【００１８】
この構成により、原稿への搬送力が増し、また押圧ローラとコンタクトガラスの隙間を従来よりも狭く設定できるので、原稿詰まりの防止及び原稿浮きによる濃度ムラの防止が可能であり、また、原稿の搬送速度が一定となるので、第１及び第２の読取手段で分割して読み取ったデータを合成しても、ズレがない良好な読取画像を得ることが可能になる。
【００１９】
前記押圧ローラは、前記第１搬送ローラ及び第２搬送ローラの周速より速い周速で原稿搬送方向に駆動されると、原稿先端が押圧ローラに当たっても負荷抵抗にならず常に搬送速度が一定となりより良好な画像が得られて好ましい。また、前記押圧ローラを、原稿先端が前記第２搬送ローラにくわえられた直後に駆動が停止されるように構成すれば、原稿後端が第１の搬送ローラを抜けた後も原稿の搬送速度が一定となりより良好な画像が得られて好適である。このためには、前記押圧ローラをクラッチ機構を介して駆動するようにし、原稿先端が前記第２搬送ローラにくわえられた直後にクラッチ機構が解除される構成にすれば良い。
【００２０】
その他、上記の各構成で前記押圧ローラは、少なくとも外周面が実質的に白色を呈するようにすると、薄い原稿等でも押圧ローラの薄影が発生し難く好ましい。また、前記複数の読取手段に対向して配設したガイド板を備えるようにしても良い。そして、本発明の画像形成装置では、上述したような構成のいずれかの画像読取装置を備えるようにする。
【発明の効果】
【００２１】
本発明によれば、原稿の紙種に依って押圧力を切り換えることなしに各種原稿を良好に読み取ることができ、複数の読取手段で原稿の搬送方向に分割して読み取り合成しても、読取出力画像がズレず、読取画像品質の良い画像読取装置およびこれを用いて画像品質の良い画像形成装置を得ることができる。
【発明を実施するための最良の形態】
【００２２】
〔第１実施形態〕
以下、本発明の実施の形態を図面を参照して詳細に説明する。図１は、この発明の実施形態である画像形成装置の要部を模式的に表した拡大断面図である。また、図２はカバーｂを除いた状態で示した概略平面図である。なお、以下では先の従来技術で説明したのと同等の構成および動作については説明を簡略化または省略し、主として従来と異なる新たな特徴的な点について説明する。
【００２３】
図において、第１搬送ローラ１の下ローラ１ａは原稿挿入口から挿入された原稿１１を読み取り部へと搬送する駆動ローラであり、図３に斜視図で要部を示した駆動手段により矢印Ｒ方向に回転駆動される。第１搬送ローラ１の上ローラ１ｂは、これに従動して回転するものであり、上ローラ１ｂは、原稿１１の厚さに応じて上下方向に変位可能で、回転自在に支持され、不図示のばね等の付勢手段により下方に付勢されており、第１搬送ローラ１の駆動ローラ１ａと協働して原稿１１を所定速度で、搬送するように構成されている。一方、第２搬送ローラ２も同様に下ローラ２ａと上ローラ２ｂで構成されている。
【００２４】
符号７は、第１搬送ローラ１により搬送された原稿の画像の一部を読み取る従来同様の第１の読取手段（受光素子）であり、７′は第１の読取手段７で読み取った以外の画像領域を読み取るべく、その下流に配設された第２の読取手段である。
【００２５】
そして、第１の読取手段７及び第２の読取手段７′の上部のコンタクトガラス４上に押圧ローラ１２，１２′が支持部材５００によりコンタクトガラス４を押圧するように設けられている。図４に押圧ローラ１２とこれを支持し或いは機能補助するためのガイド板の組み立てを説明する分解斜視図を示す。なお、押圧ローラ１２，１２′の支持部材５００には、原稿１１の通過領域７０１外に位置させて（図５の機構部要部縦方向断面図を参照）、押圧ローラユニット５０５の左右側板５０１、５０２が設けられており、この左右側板５０１、５０２の端部がコンタクトガラス４に当接することによりコンタクトガラス４と押圧ローラ１２との間に一定の間隔Ｇを保つように構成されている。この間隔Ｇは第１の読取手段７及び第２の読取手段７′の受光素子特性により０．１〜０．３mmが望ましい。
【００２６】
なお、押圧ローラ１２を含む押圧ローラユニット５０５は左右側板５０１、５０２の軸ａを支点に回転自在にカバーｂに取り付けられている。押圧ローラユニット５０５はスプリング５０６により厚手原稿（ｔ＝１mm）が挿入された場合には上方に押圧ローラユニット５０５が軸ａを支点に逃げることが出来る。
【００２７】
ガイド板１３〜１８は押圧ローラ１２が設けられていない第１の読取手段７及び第２の読取手段７′のコンタクトガラス４上の位置に支持部材５００へ取り付けられている。ガイド板１３〜１８とコンタクトガラス４の隙間Ｈは原稿搬送に支障のないように１〜２mmとしている。
【００２８】
図３において、各搬送ローラの回転駆動は、ステッピングモータ等の駆動モータ１４１の軸に取り付けられた第１プーリ１４２が回転して環状に掛けまわされた第１タイミングベルト１４３が循環し、第２プーリ１４４を介して第１搬送ローラ１が回転するとともに、第３プーリ１４５を介して第２搬送ローラ２が第１搬送ローラ１と同期して回転して、原稿が搬送される。
【００２９】
押圧ローラ１２，１２′の回転駆動は、上述のような原稿搬送と同期して、第２搬送ローラ２に取り付けられた第４プーリ１４６が回転して環状の第２タイミングベルト１４７が循環し、第５プーリ１４８、及び第５プーリ１４８と同軸の第１ギヤ１４９と噛み合う第２ギヤ１５０、および第２ギヤと同軸の第６プーリ１５１が回転して環状の第３タイミングベルト１５２が循環する。第３タイミングベルト１５２が循環すると、第７プーリ２５１が回転して第２押圧ローラ１２′が回転するとともに、第８プーリ２５２が回転して第４タイミングベルト２５３が循環し、第９プーリ２５４が回転して第１押圧ローラ１２が回転する。
【００３０】
図１に明示するように、第１搬送ローラ１の原稿１１搬送方向Ｆの上流側には原稿の有無を検知して原稿検知信号をする第１原稿検知手段（第１原稿検知センサ１１３）が、搬送方向Ｆの下流側には読取開始のタイミングをとる等するために原稿の有無を検知する第２原稿検知手段（第２原稿検知センサ１１４）が設けられている。
【００３１】
図６(a) に本実施形態の画像読取装置１００における原稿搬送制御に関する要部をブロック図で示す。図６(a) において、ＣＰＵ（Centoral Processing Unit）を含み構成された制御部１９０は、第１原稿検知センサ１１３と第２原稿検知センサ１１４とからそれぞれ出力された原稿検知信号に基づき、駆動モータ１４１による第１搬送ローラ１及び第２搬送ローラ２の駆動と停止を行うことにより、原稿の搬送を制御する。
【００３２】
また、図６(b) に画像読取装置１００における読取処理制御に関する要部をブロック図で示す。図６(b)において、（読取）画像処理部７０は、第１読取手段７の出力信号が入力するＡ／Ｄ変換回路７１，第２読取手段７′の出力信号が入力するＡ／Ｄ変換回路７２と、Ａ／Ｄ変換回路７１に接続されたメモリ７３、メモリ７３およびＡ／Ｄ変換回路７２からのそれぞれの出力を合成するための画像合成出力部７４を備えている。制御部１９０は、画像処理部７０を制御する。制御部１９０には操作制御部（図示せず）も接続されていて、ユーザからの指示・指定が入力される。
【００３３】
この実施の形態では、図１に示すように、第１搬送ローラ１によってコンタクトガラス４と圧板１３の間に搬送された原稿１１の画像データが、原稿の搬送方向に分割して設けられ千鳥状に配置された第１読取センサ７、第２読取センサ７′によって読み取られた後、第２搬送ローラ２によって排出される。３つの第１読取センサ７と，２つの第２読取センサ７′で分割読み取りされた画像データは、Ａ／Ｄ変換回路７１，７２でデジタル信号（例えば２５６階調）に変換される。第１読取センサ７からのＡ／Ｄ変換後データは、変換後にメモリ７３内に格納され所定時間遅延後にその時点での第２読取センサ７′からのＡ／Ｄ変換後データ信号と画像合成出力部７４で合成され元の１ライン分のデータ信号として出力される。このようにして、原稿搬送方向に１ライン毎の画像データ（主走査）が、順に外部に出力される（副走査）。
【００３４】
次に、このように構成された本実施形態の画像読取装置１００において、制御部１９０のＣＰＵが行う原稿搬送制御処理を図７のフローチャートを参照して説明する。図７に示すように、この画像読取装置では、まず、原稿の先端が挿入口に挿入されると原稿テーブル上に載置された原稿１１を第１原稿検知手段１１３で検知する（ステップ：Ｓ１）。すなわち、第１原稿検知センサ１１３がオンになるまで待機し（ステップ：Ｓ１；ＮＯ）、原稿１１が挿入されたことを認識すると（ステップ：Ｓ１；ＹＥＳ）、ＣＰＵはステッピングモータ１４１の駆動を開始し第１搬送ローラ１および第２搬送ローラ２を搬送方向に回転させる（Ｓ２）。これにより第１押圧ローラ１２及び第２押圧ローラ１２′の駆動も開始される。そして、規定の時間内に第２原稿検知センサ１１４がオンにならなければ（ステップ：Ｓ３；ＮＯ）、図示を省略した表示部によってジャム表示をする（Ｓ４）。
【００３５】
規定の時間内に第２検知センサ１１４がオンになった時には（ステップ：Ｓ３；ＹＥＳ）、第１搬送ローラ１の回転により送り込んだ原稿１１を第１の読取手段７及び第２の読取手段７′で連続的に読み取り、得られた信号が順次に処理される。そして、第２検知センサ１１４がオフになるのを待ち（Ｓ５）、第２検知センサ１１４がオフとなり原稿１１の後端が第２原稿検知手段１０で検知されると（Ｓ５：Ｙｅｓ）、Ｓ秒経過（原稿の所定移動距離Ｌｓに対応）を待って（Ｓ６；ＹＥＳ）、駆動モータ１４１による第１搬送ローラ１及び第２搬送ローラ２の駆動を停止する（Ｓ７）。
【００３６】
このように本実施形態では、前記第２原稿検知手段１１４で原稿１１の先端が検知されてから第２搬送ローラ２から原稿１１が排出されるまでの区間を制御部が管理するようになっている。
【００３７】
この間も、原稿の搬送に同期して第１の読取手段７及び第２の読取手段７′で得られた信号が順次に処理される。すなわち、第１読取手段７から出力された画像データ、及び第２読取手段７′から出力された画像データは、Ａ／Ｄ変換器によってアナログからデジタル信号に変換された後、画像処理用のマイクロプロセッサ（合成手段）によって合成され、外部に出力される。
【００３８】
上述のように、本実施形態では、第１の読取手段７及び第２の読取手段７′に対向した押圧ローラ１２を備えていて、その回転により原稿１１への搬送力が増え、且つ押圧ローラ１２とコンタクトガラスの隙間が0.1〜0.3mmに出来るため、原稿詰まりの防止及び原稿浮きによる濃度ムラの防止ができ、また、原稿の搬送速度が一定となり第１及び第２の読み取ったデータが合成時、ズレがない良好な読取画像が得られる。
【００３９】
〔第２実施形態〕
上記第１実施形態において、第４プーリから第７プーリ間のギヤまたはプーリの歯数を適切に設定するようにして、第１搬送ローラ１及び第２搬送ローラ２より押圧ローラ１２の周速を速く設定するようにしても良い。このように原稿をコンタクトガラスに押圧するのに、押圧ローラを使用し、且つ第１の搬送ローラ周速より速く回転しているので原稿先端が押圧ローラに当たっても負荷抵抗にならず搬送速度が一定のままとなり良好な読取画像が得られる。
【００４０】
ちなみに、従来の画像読取装置の多くは、第１搬送ローラ、第２搬送ローラは、原稿が読取手段内を搬送される時にシワが発生して読取不良とならないように、第２搬送ローラの外径（直径）を第１搬送ローラの外径より若干大きくする等して、第２搬送ローラの線速度を第１搬送ローラの線速度より大きくして第２搬送ローラの引っ張り効果によって、原稿にテンションを与えながら搬送させているが、本実施形態ではこのような設計が不要になる。
【００４１】
〔第３実施形態〕
次に、第３の実施形態について説明する。図示は省略するが、この実施形態では、図２〜図４で示した前実施形態の画像読取装置と同一の構成をしていて、先の図３に一点鎖線円で囲って示してあるように、更に電磁クラッチ２５５を用いるようにし、第２搬送ローラ２の軸端の第４プーリ１４６を電磁クラッチ２５５を介在させて取り付けることにより、この部分で駆動を遮断できるように構成する。電磁クラック２５５への通電を停止することで押圧ローラ１２は駆動が停止され自律的には回転しなくなる。図６(c)に、この場合の読取処理制御要部のブロック図を示す。
【００４２】
この第３実施形態では、押圧ローラを原稿先端が第２のローラにくわえられた直後に駆動を停止するように制御することによって、原稿後端が第１の搬送ローラを抜けた後も原稿の搬送速度が一定となり良好な画像が得られる。図８に、原稿搬送制御処理のフローチャートを示す。なお、駆動停止のタイミングは、原稿後端が第１の搬送ローラを抜ける手前であればこれ以外でも良い。
【００４３】
電磁クラッチ２２５の解除によって第２搬送ローラ２の軸の回転と第４プーリ１４６の回転とがフリーになり、押圧ローラ１２、１２′が原稿１１を介して第２搬送ローラ２に合わせて連れ回りする。これにより、原稿１１のテンションが押圧ローラ１２、１２′の慣性抵抗のみに減じるため、原稿１１が搬送されてゆき後端が第１搬送ローラ１から抜けるときの原稿のテンションによる搬送速度の変動が緩和され、原稿１１の後端側でもズレのない画像品質の良い画像読取ができる。
【００４４】
以上、実施形態を挙げて本発明について説明したが、本発明は上述実施形態に限定されるものではない。例えば第３実施形態では、クラッチ機構として電磁クラッチ用いたが、これに替えて比較的安価なワンウェイクラッチを用いても同様な効果が得られる。また、各実施形態では、２列に配置された読取手段のそれぞれに対向する位置に計２本の押圧ローラを配設しているが、各読取手段の対向領域に（例えば各読取手段の中間）に押圧ローラを１本だけ設けた構成とすることもでき略同様の効果が得られる。
【００４５】
以上説明した本発明の画像読取装置は、複写機、ファクシミリ、プリンタまたはそれらの複合機としての画像形成装置に用いても好適である。従って、本発明では、ここでの説明を省略する一般的な、画像形成部（作像部）、給紙部等と、既に説明したような本発明の画像読取装置のいずれかとで画像形成装置を構成する。画像形成装置が画像読取りして出力する画像を高品位のものとすることができ画像品質の良い画像形成装置を得ることができる。
【図面の簡単な説明】
【００４６】
【図１】この発明に係る原稿読取装置の概略断面図である。
【図２】図１の画像読取装置の機構部要部の上面図である。
【図３】図１の画像読取装置機構部要部の分解斜視図である。
【図４】押圧ローラとガイド板の組み立てを説明する分解斜視図である。
【図５】図１の画像読取装置の機構部要部の縦方向断面図である。
【図６】(a),(c)は画像読取装置の原稿搬送制御に関する構成要部のブロック図、(b)は読取処理制御に関する要部のブロック図である。
【図７】図１の画像読取装置における原稿搬送制御処理のフローチャートである。
【図８】他の実施形態における原稿搬送制御処理のフローチャートである。
【図９】（ａ）は、従来の画像読取装置の要部概略図、（ｂ）は読取センサの配置を示す説明図である。
【図１０】（ａ）は画像読取処理のための回路の要部構成を示すブロック図であり、（ｂ）は各読取手段で得られる画像データのズレを説明する図である。
【符号の説明】
【００４７】
１    第１搬送ローラ
２    第２搬送ローラ
４    コンタクトガラス
７，７′    読取手段（受光素子）
１１    原稿
１２，１２′    押圧ローラ
１３〜１８    ガイド板
７０    （読取）画像処理部
７１，７２    Ａ／Ｄ変換回路
７３    メモリ
７４    画像合成出力部
１００    画像読取装置
１１３    第１原稿検知センサ
１１４    第２原稿検知センサ
１４１    駆動モータ（駆動手段；ステッピングモータ）
１４２〜１４６    プーリ
１４３，１４７，１５２，２５３    タイミングベルト
１４８，１５１，２５１，２５２，２５４    プーリ
１４９，１５０    ギヤ
１９０    制御部（ＣＰＵ）
２５５    電磁クラッチ（クラッチ手段）
Ｆ    原稿搬送方向
【図１】
2006081096.tif 000003
【図２】
2006081096.tif 000004
【図３】
2006081096.tif 000005
【図４】
2006081096.tif 000006
【図５】
2006081096.tif 000007
【図６】
2006081096.tif 000008
【図７】
2006081096.tif 000009
【図８】
2006081096.tif 000010
【図９】
2006081096.tif 000011
【図１０】
2006081096.tif 000012